(57)【特許請求の範囲】
【請求項１】
両側壁と底壁とにより略Ｕ字状をなすケーブルトラフ本体と、前記いずれか一方の側壁より、上方に立ち上がる略平板状をなすバラスト止め壁と、前記バラスト止め壁の壁頂部に係止し、前記壁の両側面及び上端面に添接する略コ字状をなす壁頂部係止片と、該壁頂部系止片の裏面側に取り付けられ、垂直方向上下端に各々開口部を有し、内部に前記開口部と連通する中空状貫挿部を有する中空パイプ状の杭貫挿部材と、前記杭貫挿部材の中空部内を貫挿し、地中に打設される打設部を有するケーブルトラフ固定用杭と、
を有することを特徴とするバラスト止め付きケーブルトラフ。
【発明の詳細な説明】
【技術分野】
【０００１】
本発明は、例えば鉄道沿線に埋設設置されているケーブルトラフのバラスト崩れ、すなわち傾斜を有して斜面状に敷設されているバラストによりケーブルトラフが埋もれてしまい、特に鉄道関連工事に伴うケーブルトラフの取替え及びケーブル障害探索時に作業困難となるため、ケーブルトラフが埋もれないようにしたバラスト止付きケーブルトラフに関するものである。
【背景技術】
【０００２】
従来、ケーブルトラフの敷設施工は、一般に鉄道の線路などの軌道近傍位置に敷設されるが、鉄道のレールはバラストで築かれたいわゆる高台上に設けられ、ケーブルトラフは該高台の裾野下端部位置に沿って敷設される。
【０００３】
ここで、鉄道線路などの長年の使用によっては、砂利や小石群によって形成されたバラストが、徐々に崩れることがあり、これによって、ケーブルトラフ上に前記バラストが堆積し、ケーブルトラフが埋もれてしまう課題が多々あった。
【０００４】
前述したように、ケーブルトラフが埋もれてしまうと、鉄道関連工事に伴うケーブルトラフ取替えが必要とされるとき、あるいはケーブル障害探索時にケーブルトラフ内の障害探索作業がきわめて困難になってしまう。
【０００５】
そこで、従来、前記課題を解決するために、特開２０１２−１６２９７２号公報に記載されたような各種のバラスト止め構造体が各種提案されている。
【０００６】
しかしながら、いずれのバラスト止め構造体もケーブルトラフとは別体のもので（図５参照）、当該バラスト止め構造体を設置した後に、さらにケーブルトラフを敷設する必要があった。
【先行技術文献】
【特許文献】
【０００７】
【特許文献１】特開２０１２−１６２９７２号公報
【発明の概要】
【発明が解決しようとする課題】
【０００８】
かくして、本発明は前記従来からの課題を解決するために創案されたものであり、鉄道線路などの長年の使用によって、砂利や小石群によって形成されたバラストが、徐々に崩れ、これによって、ケーブルトラフ上に前記バラストが堆積し、ケーブルトラフが埋もれることがなく、もって、鉄道関連工事に伴うケーブルトラフ取替えが必要とされるときにあっても、あるいはケーブル障害探索時にあっても、迅速に作業を行え、しかも、バラスト止め構造体をケーブルトラフと一体的に構成するため、作業も簡単で、コストも安価になしえるバラスト止め付きケーブルトラフを提供することを目的とするものである。
【課題を解決するための手段】
【０００９】
本発明によるバラスト止め付きケーブルトラフは、
両側壁と底壁とにより略Ｕ字状をなすケーブルトラフ本体と、前記いずれか一方の側壁より、上方に立ち上がる略平板状をなすバラスト止め壁と、前記バラスト止め壁の壁頂部に係止し、前記壁の両側面及び上端面に添接する略コ字状をなす壁頂部係止片と、該壁頂部系止片の裏面側に取り付けられ、垂直方向上下端に各々開口部を有し、内部に前記開口部と連通する中空状貫挿部を有する中空パイプ状の杭貫挿部材と、前記杭貫挿部材の中空部内を貫挿し、地中に打設される打設部を有するケーブルトラフ固定用杭と、
を有することを特徴とするものである。
【発明の効果】
【００１０】
本発明によるバラスト止め付きケーブルトラフであれば、鉄道線路などの長年の使用によって、砂利や小石群によって形成されたバラストが、徐々に崩れ、これによって、ケーブルトラフ上に前記バラストが堆積し、ケーブルトラフが埋もれることがなく、もって、鉄道関連工事に伴うケーブルトラフ取替えが必要とされるときにあっても、あるいはケーブル障害探索時にあっても、迅速に作業を行え、しかも、いわゆるバラスト止め構造体をケーブルトラフと一体的に構成できるため、敷設作業など簡単に行え、もって敷設コストなども安価になしうるとの優れた効果を奏する。
【図面の簡単な説明】
【００１１】
【図１】本発明の構成を説明する構成説明図（１）である。
【図２】本発明の構成を説明する構成説明図（２）である。
【図３】本発明の構成を説明する構成説明図（３）である。
【図４】本発明の構成を説明する構成説明図（４）である。
【図５】従来例の構成を説明する構成説明図である。
【発明を実施するための形態】
【００１２】
以下、本発明を図に示す実施例に基づいて説明する。
図１乃至図４にバラスト止め付きケーブルトラフの構成を示す。本実施例において、ケーブルトラフ本体１は、底壁２と該底壁２の幅方向両端部から立ち上がる両側壁３、３を有して、略コ字状に形成されている。
【００１３】
そして、前記いずれか一方側の側壁３の上端面からは、側壁３の立ち上がり方向と同様の方向、すなわち上方垂直方向に向かい延出するバラスト止め壁４が設けられている。
【００１４】
ここで、バラスト止め壁４は、ケーブルトラフ本体１を形成する際の型枠を変更、改良して、ケーブルトラフ本体１と一体的に形成することが出来る。
また、図から理解されるように、このバラスト止め壁４の厚みは、前記側壁３の厚みよりも薄くして構成してある。
【００１５】
なお、バラスト止め壁４の高さについては、何ら制限はないが、本実施例では、側壁３の高さと略同等としてある。
また、バラスト止め壁４の長手方向の長さであるが、ケーブルトラフ本体１の長手方向の長さと同様の長さとしてある。
【００１６】
しかして、バラスト止め付きケーブルトラフの製造方法の概略につき、若干説明すると、このバラスト止め付きケーブルトラフに使用するモルタルの水セメント比は、４０%以下にしておくものとする。そして、材料の計量は全て質量による。但し、水及び液体のコンクリート用化学混和剤は容積で計量しても良い。また、バラスト止め付きケーブルトラフの成型は、金属製若しくは樹脂等の型枠内にコンクリートを投入し、振動機を用いるか又はこれと同等以上の効果が得られる方法で締固めながら行う。そして、満足な成果が得られるような養生を行った後、脱型して製品を得る。
【００１７】
さらに、バラスト止め付きケーブルトラフに使用する高強度モルタルは、圧縮強度＝60N/mm2以上にしてあり、その曲げ強度は、バラスト止め壁４に規格荷重1kN、ケーブルトラフ本体１の底壁２に規格荷重6.0kNの曲げ強度荷重を加えたとき、0.05mmを超えるひびわれが発生してはならないものとしてある。
【００１８】
次に、バラスト止め付きケーブルトラフの敷設につき説明する。このバラスト止め付きケーブルトラフを所定の箇所、例えば鉄道の線路脇に線路長手方向に沿って敷設していく。すなわち、所定の線路脇に線路長手方向に沿って、バラスト止め付きケーブルトラフを敷設するための凹溝条を掘削し、この凹溝条内にバラスト止め付きケーブルトラフを敷設していく。
【００１９】
凹溝条内にバラスト止め付きケーブルトラフ１０を敷設した後、図３、図４から理解されるように、隣り合うバラスト止め付きケーブルトラフ１０、１０の接続箇所に跨げて、バラスト止め壁４の表面６、裏面７の上部面及びバラスト止め壁４の上端面８に添接して設置される略コ字状をなすバラスト止め壁係止片９を取り付ける。
【００２０】
ここで、バラスト止め壁係止片９には、バラスト止め壁４の裏面７側に添接する構成片１１に略中空パイプ状をなす杭貫挿部材１２が取り付けられている。この杭貫挿部材１２は、垂直方向上下端に各々開口部を有し、内部には前記開口部と連通する中空状貫挿部１３を有する。
【００２１】
前記したように、隣り合うバラスト止め付きケーブルトラフ１０、１０の接続箇所に跨げて、バラスト止め壁係止片９を取り付けた後、杭貫挿部１３内にケーブルトラフ固定用杭１４を挿入し、その先端部を打設して、該地ラフ固定用杭１４の打設部１５を地中に打設し、固定していくのである。
【００２２】
ここで、ケーブルトラフ固定用杭１４を打設した状態を図１、図２、図３に示す。これらの図に示すように敷設を行えば、確実にバラスト止めが行えるバラスト止めつきケーブルトラフを迅速に敷設することが出来るものとなる。
【符号の説明】
【００２３】
１     ケーブルトラフ本体
２     底壁
３     側壁
４     バラスト止め壁
６     バラスト止め壁の表面
７     バラスト止め壁の裏面
８     バラスト止め壁の上端面
９     バラスト止め壁係止片
１０   バラスト止め付きケーブルトラフ
１１   構成片
１２   杭貫挿部材
１３   杭貫挿部
１４   ケーブルトラフ固定用杭
１５   打設部
【図１】
0005924785.tif 000002
【図２】
0005924785.tif 000003
【図３】
0005924785.tif 000004
【図４】
0005924785.tif 000005
【図５】
0005924785.tif 000006